(57)【要約】【課題】本発明は、ストリークスや濃度ムラを軽減させる印刷装置に関する。【解決手段】印字ヘッドによって印刷データに基づく印刷処理を記録媒体に行う印刷装置であって、上記印字ヘッドはライン状に複数の発光素子を配設して構成され、注目発光素子と該注目発光素子に隣接する発光素子との干渉受光状態の最大受光値と最小受光値の比率を計算する第１の計算手段と、この第１の計算手段の計算結果に前記注目発光素子が有する固有の光量補正情報を加算して前記注目発光素子に対する光量補正データとする第２の計算手段と、上記第２の計算手段の計算結果である光量補正データに従って前記印刷データに対する光量補正処理を行う光量補正手段とを有することを特徴とする。【選択図】  図１
2011046137.tif 000002
【特許請求の範囲】
【請求項１】
印字ヘッドによって印刷データに基づく印刷処理を記録媒体に行う印刷装置において、
前記印字ヘッドはライン状に複数の発光素子を配設して構成され、注目発光素子と該注目発光素子に隣接する発光素子との干渉受光状態の最大受光値と最小受光値の比率を計算する第１の計算手段と、
該第１の計算手段の計算結果に前記注目発光素子が有する固有の光量補正情報を加算して前記注目発光素子に対する光量補正データとする第２の計算手段と、
前記第２の計算手段の計算結果である光量補正データに従って前記印刷データに対する光量補正処理を行う光量補正手段と、
を有することを特徴とする印刷装置。
【請求項２】
印字ヘッドによって印刷データに基づく印刷処理を記録媒体に行う印刷装置において、
前記印字ヘッドはライン状に複数の発光素子を配設して構成され、前記発光素子の焦点距離の情報を測定する測定手段と、
該測定結果に基づいて補正位置と補正量を計算する第１の計算手段と、
該第１の計算手段の計算結果に前記発光素子が有する固有の光量補正情報を加算して前記発光素子に対する光量補正データとする第２の計算手段と、
前記第２の計算手段の計算結果である光量補正データによって前記印刷データに対する光量補正処理を行う光量補正手段と、
を有することを特徴とする印刷装置。
【請求項３】
印字ヘッドによって印刷データに基づく印刷処理を記録媒体に行う印刷装置において、
前記印字ヘッドはライン状に複数の発光素子を配設して構成され、注目発光素子と該注目発光素子に隣接する発光素子との干渉受光状態の最大受光値と最小受光値の比率を計算する第１の計算手段と、
前記注目発光素子の焦点距離の情報を測定する測定手段と、
該測定結果に基づいて補正位置と補正量を計算する第２の計算手段と、
該第１、第２の計算手段の計算結果に前記注目発光素子が有する固有の光量補正情報を加算して前記注目発光素子に対する光量補正データを計算する第３の計算手段と、
前記第３の計算手段の計算結果である光量補正データによって前記印刷データに対する光量補正処理を行う光量補正手段と、
を有することを特徴とする印刷装置。
【請求項４】
前記光量補正データは、更にプロセス情報を含めて計算することを特徴とする請求項１、２、又は３に記載の印刷装置。
【請求項５】
印字ヘッドによって印刷データに基づく印刷処理を記録媒体に行う印刷方法において、
前記印字ヘッドはライン状に複数の発光素子を配設して成り、注目発光素子と該注目発光素子に隣接する発光素子との干渉受光状態の最大受光値と最小受光値の比率を計算する第１の計算処理と、
該第１の計算処理の計算結果に前記注目発光素子が有する固有の光量補正情報を加算して前記注目発光素子に対する光量補正データを計算する第２の計算処理と、
前記第２の計算処理の計算結果である光量補正データによって前記印刷データに対する光量補正処理を行う光量補正処理と、
を行うことを特徴とする印刷方法。
【請求項６】
印字ヘッドによって印刷データに基づく印刷処理を記録媒体に行う印刷方法において、
前記印字ヘッドはライン状に複数の発光素子を配設して成り、前記発光素子の焦点距離の情報を測定する測定処理と、
該測定結果に基づいて補正位置と補正量を計算する第１の計算処理と、
該第１の計算手段の計算結果に前記発光素子が有する固有の光量補正情報を加算して前記発光素子に対する光量補正データを計算する第２の計算処理と、
前記第２の計算処理の計算結果である光量補正データによって前記印刷データに対する光量補正処理を行う光量補正処理と、
を行うことを特徴とする印刷方法。
【発明の詳細な説明】
【技術分野】
【０００１】
本発明は、ストリークスや濃度ムラを軽減する印刷装置及び印刷方法に関する。
【背景技術】
【０００２】
プリンタ等の印刷装置において、ＬＥＤ素子等の発光素子を使用した印字ヘッドが使用され、この印字ヘッドは、印刷データに従った発光を像担持体に行うものであり、例えばライン状に多くのＬＥＤ素子を配設し、像担持体に発光を行う。
【０００３】
特許文献１は上記構成の装置において、トナー画像に濃度ムラが発生する場合、像担持体に書き込むドットをレンズの特性、又はスクリーン角に応じて補正するための補正パラメータを予め記憶させ、この補正パラメータに従って上記ドットを補正することにより、形成画像の濃度ムラを低減する発明を開示する。
【０００４】
また、特許文献２に記載された発明は、各ＬＥＤ素子の積分光量で調整値を決定し、駆動条件をＬＥＤ素子毎に調整していた場合にも発生する画像濃度ムラを緩和できる画像形成装置を提供する。
【先行技術文献】
【特許文献】
【０００５】
【特許文献１】特開２００１−０６３１３８号公報
【特許文献２】特開２００１−３１０４９９号公報
【発明の概要】
【発明が解決しようとする課題】
【０００６】
しかしながら、上記先行技術においては、レンズの特性等に起因して光量を均一に補正する手段は開示するが、印字ヘッドのピント要因によるストリークスや濃度ムラに対応することはできない。また、隣接ドットのプロファイル形状を考慮する発明でもなく、ストリークスや濃度ムラを有効に防止できない。
【０００７】
そこで、本発明は上記課題に鑑み、ピント要因によるストリークスや濃度ムラを軽減し、かつ隣接ドットのプロファイル形状を考慮したストリークスや濃度ムラの軽減を行う印刷装置及び印刷方法を提供するものである。
【課題を解決するための手段】
【０００８】
上記課題は第１の発明によれば、印字ヘッドによって印刷データに基づく印刷処理を記録媒体に行う印刷装置において、前記印字ヘッドはライン状に複数の発光素子を配設して構成され、注目発光素子と該注目発光素子に隣接する発光素子との干渉受光状態の最大受光値と最小受光値の比率を計算する第１の計算手段と、該第１の計算手段の計算結果に前記注目発光素子が有する固有の光量補正情報を加算して前記注目発光素子に対する光量補正データを計算する第２の計算手段と、前記第２の計算手段の計算結果である光量補正データによって前記印刷データに対する光量補正処理を行う光量補正手段とを有する印刷装置を提供することによって達成できる。
【０００９】
また、上記課題は第２の発明によれば、印字ヘッドによって印刷データに基づく印刷処理を記録媒体に行う印刷装置において、前記印字ヘッドはライン状に複数の発光素子を配設して構成され、前記発光素子の焦点距離の情報を測定する測定手段と、該測定結果に基づいて補正位置と補正量を計算する第１の計算手段と、該第１の計算手段の計算結果に前記発光素子が有する固有の光量補正情報を加算して前記発光素子に対する光量補正データを計算する第２の計算手段と、前記第２の計算手段の計算結果である光量補正データによって前記印刷データに対する光量補正処理を行う光量補正手段とを有する印刷装置を提供することによって達成できる。
【００１０】
また、上記課題は第３の発明によれば、印字ヘッドによって印刷データに基づく印刷処理を記録媒体に行う印刷装置において、前記印字ヘッドはライン状に複数の発光素子を配設して構成され、注目発光素子と該注目発光素子に隣接する発光素子との干渉受光状態の最大受光値と最小受光値の比率を計算する第１の計算手段と、前記注目発光素子の焦点距離の情報を測定する測定手段と、該測定結果に基づいて補正位置と補正量を計算する第２の計算手段と、該第１、第２の計算手段の計算結果に前記注目発光素子が有する固有の光量補正情報を加算して前記注目発光素子に対する光量補正データを計算する第３の計算手段と、前記第３の計算手段の計算結果である光量補正データによって前記印刷データに対する光量補正処理を行う光量補正手段とを有する印刷装置を提供することによって達成できる。
【００１１】
また、上記課題は第４の発明によれば、前記光量補正データは、更にプロセス情報を含めて計算する印刷装置を提供することによって達成できる。
【００１２】
また、上記課題は第５の発明によれば、印字ヘッドによって印刷データに基づく印刷処理を記録媒体に行う印刷方法において、前記印字ヘッドはライン状に複数の発光素子を配設して成り、注目発光素子と該注目発光素子に隣接する発光素子との干渉受光状態の最大受光値と最小受光値の比率を計算する第１の計算処理と、該第１の計算処理の計算結果に前記注目発光素子が有する固有の光量補正情報を加算して前記注目発光素子に対する光量補正データを計算する第２の計算処理と、前記第２の計算処理の計算結果である光量補正データによって前記印刷データに対する光量補正処理を行う光量補正処理とを行う印刷方法を提供することによって達成できる。
【００１３】
また、上記課題は第６の発明によれば、印字ヘッドによって印刷データに基づく印刷処理を記録媒体に行う印刷方法において、前記印字ヘッドはライン状に複数の発光素子を配設して成り、前記発光素子の焦点距離の情報を測定する測定処理と、該測定結果に基づいて補正位置と補正量を計算する第１の計算処理と、該第１の計算手段の計算結果に前記発光素子が有する固有の光量補正情報を加算して前記発光素子に対する光量補正データを計算する第２の計算処理と、前記第２の計算処理の計算結果である光量補正データによって前記印刷データに対する光量補正処理を行う光量補正処理とを行う印刷方法を提供することによって達成できる。
【発明の効果】
【００１４】
本発明によれば、印字ヘッドの各ドットのピントデータに基づいて、一定レベルを越えたドットの位置と補正量を計算し、各発光素子の光量補正を行い、更に注目ドットと隣接ドットのプロファイル形状に基づき光量補正を行い、ストリークスの低減や濃度の均一化を図ることができる。
【図面の簡単な説明】
【００１５】
【図１】実施形態１のヘッド制御部の構成、及びビデオＩ／Ｆ制御部の構成を具体的に説明する図である。
【図２】本実施形態を説明する印刷装置のシステム構成図である。
【図３】ＭＴＦデータ記憶部に記憶されるＭＴＦデータの測定例を示す図である。
【図４】（ａ）は、制御装置からヘッド駆動装置５１への入力信号を示す図であり、（ｂ）は、入力信号に基づくＬＥＤ素子の発光を示す図であり、（ｃ）は、測定装置により測定した光強度分布の一例を示す図である。
【図５】実施形態１の処理動作を説明するフローチャートである。
【図６】補正の従来例の光プロファイルを示す図である。
【図７】本実施形態の光プロファイルを示す図である。
【図８】実施形態２のヘッド制御部の構成、及びビデオＩ／Ｆ制御部の構成を具体的に説明する図である。
【図９】焦点距離データ記憶部に記憶される焦点距離データの測定例を示す図である。
【図１０】（ａ）は、制御装置からヘッド駆動装置への入力信号を示す図であり、（ｂ）は、入力信号に基づくＬＥＤ素子の発光の有無を示す図である。
【図１１】実施形態２の処理動作を説明するフローチャートである。
【図１２】（ａ）は、焦点距離データ記憶部に記憶される焦点距離データの一例を示す図であり、（ｂ）は、焦点距離データのmドット移動平均を示す図であり、（ｃ）は、（焦点距離データi）−（焦点距離データのmドット移動平均）の計算結果の一例を示す図であり、（ｄ）は、焦点補正データ（FMDi）の一例を示す図である。
【図１３】実施形態３の処理動作を説明するフローチャートである。
【発明を実施するための形態】
【００１６】
以下、本発明の実施の形態を図面に基づいて説明する。
（実施形態１）
図２は、本実施形態を説明する印刷装置のシステム構成図である。同図において、印刷装置１はインターフェイスコントローラ（以下、Ｉ／Ｆコントローラで示す）２、エンジン制御部３で構成され、Ｉ／Ｆコントローラ２は受信制御部４、ＲＯＭ５、フォント６、表示制御部７、ビデオＩ／Ｆ制御部８、メモリ（ＳＤＲＡＭ）９、ＡＳＩＣ（ＤＭＡ制御部）１０、ＭＰＵ１１で構成されている。また、表示制御部７には不図示のオペレーションパネルが接続されている。
【００１７】
一方、エンジン制御部３は印字ヘッド制御部（以下、単にヘッド制御部で示す）１２、モータ制御部１３、ＭＰＵ１４、定着制御部１５、高圧制御部１６、印字ヘッド１７、メインモータ１８、各種負荷１９、各種センサ２０、定着サーミスタ２１、定着ヒータ２２、高圧部２３で構成されている。
【００１８】
また、上記構成の印刷装置１には、ＵＳＢ(universal serial bus)インターフェイス、及びＬＡＮ(local area network)を介してパーソナルコンピュータ（ＰＣ）やプリンタサーバ等のホスト機器２５から印刷データが供給される。ホスト機器２５から供給された印刷データは、上記受信制御部４に転送され、所定量の印刷データが受信制御部４に転送されると、印刷データはメモリ（ＳＤＲＡＭ）９に転送される。メモリ（ＳＤＲＡＭ）９に転送された印刷データは、以後ＭＰＵ１１の制御に従って解析処理が行われ、ＡＳＩＣ（ＤＭＡ制御部）１０によって圧縮、伸張処理が行われた後、ビデオＩ／Ｆ制御部８からエンジン制御部３（ヘッド制御部１２）に出力される。
【００１９】
ヘッド制御部１２に出力されたビデオデータには、後述する処理が施され、印字ヘッド１７に出力される。尚、モータ制御部１３は、メインモータ１８の駆動制御を行い、ＭＰＵ１４はヘッド制御部１２やモータ制御部１３の制御を行うと共に、定着制御部１５や高圧制御部１６の駆動制御を行う。
【００２０】
図１は、上記ヘッド制御部１２の構成、及びビデオＩ／Ｆ制御部８の構成を具体的に説明する図である。尚、同図において、ビデオＩ／Ｆ制御部８は説明上ヘッド制御部１２に含ませて説明する。
【００２１】
ヘッド制御部１２はヘッドＩ／Ｆ制御部３０、ヘッド補正データ制御部３１、基本タイミング生成部３２、ＣＰＵＩ／Ｆ部３３で構成されている。尚、ビデオＩ／Ｆ制御部８にはＩ／Ｆコントローラ２によって生成されたビデオデータを格納するビデオＲＡＭ８ａが接続されている。
【００２２】
ヘッドＩ／Ｆ制御部３０はドットパターン生成部３４、ヘッドデータ送信部３５、ヘッド制御信号生成部３６、ストローブ信号生成部３７で構成され、ドットパターン生成部３４はビデオＩ／Ｆ制御部８から供給されたビデオデータの１画素を各階調値に基づき、不図示のパターン登録レジスタを参照してＮ個の微画素に展開したデータを生成する。
【００２３】
ヘッドデータ送信部３５はドットパターン生成部３４によって生成したデータをヘッド制御信号生成部３６から出力されるドットクロック（ＤＣＬＫ）に同期して印字ヘッド１７に転送する。尚、ヘッド制御信号生成部３６は上記ドットクロック（ＤＣＬＫ）の他、水平同期信号（ＨＳＹＮＣ）の出力も行う。
【００２４】
また、ストローブ信号生成部３７はＣＰＵＩ／Ｆ部３３によって設定された階調情報に従って副走査方向をｎ分割し、対応するストローブ信号を印字ヘッド１７に送信する。例えば、副走査方向が３分割の場合、サブライン（１／３）、（２／３）、（３／３）の３種類のストローブ信号を出力し、副走査方向が４分割の場合、サブライン（１／４）、（２／４）、（３／４）、（４／４）の４種類のストローブ信号を出力する。
【００２５】
基本タイミング生成部３２はＣＰＵＩ／Ｆ部３３によって設定される階調情報に従って、副走査方向をｎ分割した際の対応するタイミング信号を生成し、各部に出力する。ＣＰＵＩ／Ｆ部３３は上記の階調情報を出力すると共に、アドレスデコード処理、及び各モジュールのレジスト処理等を行う。
【００２６】
一方、ヘッド補正データ制御部３１は補正ＲＡＭ４０、プロセス情報レジスタ４１、補正データ演算部４２を備え、補正ＲＡＭ４０はＭＴＦデータ記憶部４３、光量補正データ記憶部４４、及びヘッド補正データ記憶部４５で構成されている。上記光量補正データ記憶部４４には印字ヘッド１７内のヘッド情報ＲＯＭ４７から光量補正データが供給される。尚、ヘッド情報ＲＯＭ４７に記憶される光量補正データは、印字ヘッド１７を構成する各発光素子の光量バラツキを予め測定し、この補正データが光量補正データとして記憶されている。また、上記プロセス情報レジスタ４１には、カラー情報や、トナーの粒形や種類によって設定されるプロセス情報が記憶されている。
【００２７】
また、ＭＴＦデータ記憶部４３には、印字ヘッド１７に形成されたＬＥＤ素子毎のＭＴＦデータが記憶されている。図３は上記ＭＴＦデータ記憶部４３に記憶されるＭＴＦデータの測定例を示す。同図において、ＭＴＦデータの測定はヘッド駆動装置５１、測定装置５２、演算装置５３、制御装置５４、及び印字ヘッド１７で構成され、ＭＴＦデータ出力５５を得る。具体的には、ヘッド駆動装置５１は制御装置５４の指示によって印字ヘッド１７を駆動し、印字ヘッド１７を所定位置に設定し、印字ヘッド１７内のＬＥＤ素子を発光する。図４（ａ）は、例えば制御装置５４からヘッド駆動装置５１への入力信号を示し、ヘッド駆動装置５１はこの入力信号に従ってＬＥＤ素子は駆動する。また、図４（ｂ）は上記入力信号に基づくＬＥＤ素子の発光の有無を示し、例えば●印は発光するＬＥＤ素子を示し、○印は非発光のＬＥＤ素子を示す。
【００２８】
測定装置５２は、例えばＣＣＤ素子で構成され、上記ＬＥＤ素子からの発光を受光し、光強度を測定する。具体的には、測定装置５２は制御装置５４からの指示に従って、印字ヘッド１７との焦点距離の設定値から前後にプラス方向及びマイナス方向に移動させ、光強度を測定する。図４（ｃ）は測定装置５２により測定した光強度分布の一例である。同図（ｃ）に示すＩmaxは光強度の最大値を示し、Ｉminは光強度の最小値を示す。
【００２９】
演算装置５３は上記焦点距離毎の光強度データから以下の演算式を使用してＭＴＦデータを作成する。また、下記の演算によって取得したＭＴＦデータは前述のＭＴＦデータ記憶部４３に記憶される。
ＭＴＦ＝（（Ｉmax−Ｉmin）／（Ｉmax＋Ｉmin））× 100％
【００３０】
上記構成において、以下に本例の処理動作を説明する。
図５は、本例の処理動作を説明するフローチャートである。先ず、プリンタ装置１の電源をオンすると、印字ヘッド１７のヘッド情報ＲＯＭ４７から光補正データが読み込まれ、光量補正データ記憶部４４に書き込まれる（ステップ（以下、Ｓで示す）１）。
【００３１】
次に、補正データ演算部４２は、上記光量補正データと前述のＭＴＦデータ記憶部４３に予め記憶されたＭＴＦデータ、及びプロセス情報レジスタ４１に記憶されたプロセス情報に基づき演算処理を行う（Ｓ２）。具体的には、同図に示すI〜IIIの演算処理を行う。
【００３２】
先ず、ＭＴＦデータ記憶部４３に予め記憶されたＭＴＦデータの平均値を求める（同図に示すI）。すなわち、ＭＴＦの平均値（MTFave）をＭＴＦデータ（MTFi）に基づいて計算する（但し、i = ドットNo.１〜nとする）。
MTFave = Σ（MTFi ）/ n
【００３３】
次に、各ドットのＭＴＦデータとＭＴＦデータ平均値（MTFave）との差にプロセス係数（Ｋ）を掛け算し、ＭＴＦ補正データ（PMDi）を生成する（同図に示すII）。
PMDi  =（MTFi−MTFave）× K  
【００３４】
次に、光量補正データに上記ＭＴＦ補正データ（PMDi）を加算し、ヘッド補正データを生成する（同図に示すIII）。
ヘッド補正データ（HDi）＝ＭＴＦ補正データ（PMDi）＋光量補正データ（Li）
【００３５】
次に、補正データ演算部４２によって行われた演算結果であるヘッド補正データ（HDi）は、ヘッド補正データ記憶部４５に送信され補正データの書き換え処理を行う（Ｓ３）。そして、新たなへッド補正データはＣＰＵＩ／Ｆ部３３の指示に従って、順次印字ヘッド１７に転送され（ＬＤＡＴＡ［６：０］）、印字ヘッド１７に形成されたＬＥＤ素子の光量補正に使用される（Ｓ４）。
【００３６】
図６に補正の従来例の光プロファイルを示し、図７に本例の光プロファイルを示す。図６に示す従来の補正処理は単一のドットのみを対象とし、例えば同図（ａ）に示す標準形状のドットを基準にして、同図（ｂ）に示すつぶれ形状のドットに対して光量を下げる補正を行い、同図（ｃ）に示す鋭い形状のドットに対して光量を上げる補正を行っていた。
【００３７】
上記処理に対して、本例によれば、上記演算結果によって得られた光量補正データを使用することによって、図７に示すように、隣接ドットの状態を加味した補正を行うことができ、例えば（ａ）〜（ｃ）は標準形状のドットに対して隣接ドットが標準形状である場合、つぶれ形状である場合、鋭い形状である場合において夫々対応した補正が可能となる。例えば、（ａ）の標準形状である場合補正は行わず、（ｂ）のつぶれ形状である場合光量を下げる補正を行い、（ｃ）の鋭い形状である場合光量を上げる補正を行い、隣接ドットの形状に対応した光量補正を行うことができる。
【００３８】
また、（ｄ）〜（ｆ）はつぶれ形状のドットに対して隣接ドットが標準形状、つぶれ形状、鋭い形状である場合の夫々対応した補正を行う場合を示し、（ｇ）〜（ｉ）は鋭い形状のドットに対して隣接ドットが標準形状、つぶれ形状、鋭い形状である場合の夫々対応した補正を行う場合を示している。
【００３９】
以上のように、本例によれば、隣接する発光素子の発光プロファイル形状の干渉を考慮した光量補正データを使用して発光素子の光量補正を行うことができ、ストリークスや濃度ムラの軽減を図ることができる。
（実施形態２）
【００４０】
次に、本発明の実施形態２について説明する。
図８は、上記ヘッド制御部１２の構成、及びビデオＩ／Ｆ制御部８の構成を具体的に説明する図である。尚、図８は前述の図１と基本的に同じであるが、ヘッド補正データ制御部３１の構成が異なり、ＭＴＦデータ記憶部４３に代えて焦点距離データ記憶部４９で構成されている。したがって、図８において、図１と同じ構成については説明を省略する。以下、具体的に説明する。
【００４１】
本例のヘッド補正データ制御部３１は、補正ＲＡＭ４０、プロセス情報レジスタ４１、補正データ演算部４２、及びヘッド補正データ記憶部４５を備え、補正ＲＡＭ４０は光量補正データ記憶部４４、ヘッド補正データ記憶部４５、及び焦点距離データ記憶部４９で構成されている。焦点距離データ記憶部４９には各発光素子に対応する焦点距離のデータが記憶されている。
【００４２】
図９は上記焦点距離データ記憶部４９に記憶される焦点距離データの測定例を示す。この測定も前述の図３に示す構成と同様であり、ヘッド駆動装置５１、測定装置５２、演算装置５３、制御装置５４、及び印字ヘッド１７で構成され、焦点距離データ出力６０を得る。すなわち、ヘッド駆動装置５１は制御装置５４の指示によって印字ヘッド１７を駆動し、印字ヘッド１７を所定位置に設定し、印字ヘッド１７内のＬＥＤ素子を発光する。前述と同様、図１０（ａ）は、例えば制御装置５４からヘッド駆動装置５１への入力信号を示し、ヘッド駆動装置５１はこの入力信号に従ってＬＥＤ素子は駆動する。また、図１０（ｂ）は上記入力信号に基づくＬＥＤ素子の発光の有無を示す。
【００４３】
測定装置５２は、例えばＣＣＤ素子で構成され、上記ＬＥＤ素子からの発光を受光し、光強度を測定する。具体的には、測定装置５２は制御装置５４からの指示に従って、印字ヘッド１７との焦点距離の設定値から前後にプラス方向及びマイナス方向に移動させ、光強度が最大となる焦点距離データを発光素子毎に測定する。図４（ｃ）〜（ｅ）は、焦点距離が２．１１０ｍｍ（ＭＴＦ：５５）、２．１１４ｍｍ（ＭＴＦ：６１）、２．１１８ｍｍ（ＭＴＦ：５８）の各場合の例を示す。尚、同図（ｃ）〜（ｅ）に示すＩmaxは光強度の最大値を示し、Ｉminは光強度の最小値を示す。
【００４４】
また、上記演算処理によって取得した各発光素子の焦点距離のデータは、焦点距離データ記憶部４９に記憶される。尚、焦点距離データ記憶部４９に記憶される焦点距離データの一例を図１２（ａ）に示す。
【００４５】
以下、本例の処理動作を説明する。
図１１は、本例の処理動作を説明するフローチャートである。前述の実施形態１と同様、先ずプリンタ装置１の電源をオンすると、印字ヘッド１７のヘッド情報ＲＯＭ４７より光補正データが読み込まれ、光量補正データ記憶部４４に書き込まれる（ステップ（以下、ＳＴで示す）１）。
【００４６】
次に、補正データ演算部４２は、上記光量補正データと焦点距離データ記憶部４９に記憶された焦点距離データのデータ、及びプロセス情報レジスタ４１に記憶されたプロセス情報に基づき演算処理を行う（ＳＴ２）。具体的には、同図に示すI及びIIの演算処理を行う。
【００４７】
先ず、焦点距離データ(FCDi)の生成処理を行う（同図に示すI）。この処理は、焦点距離補正レジスタに書き込まれた補正対象の焦点距離の閾値をＹとすると、
ａ．ト゛ットNo.nの焦点距離がＹ以内の場合は補正しない。すなわち、
-Y≦FCDi≧Yの場合、
ＭＴＦデータ焦点補正データ（FMDi）=０ 
ｂ．一方、ト゛ットNo.nの焦点距離がＹを越えた場合、下記の演算式に基づき補正値を生成する。すなわち、
-Y＞FCDiまたはY＜FCDiの場合、
ドットNo.nの焦点補正データ（FMDi）は
［焦点距離データi] − [ 焦点距離データのmドット移動平均 ] × 係数
であり、焦点補正データ(FMDi)は、
j=m-1                   
FMDi=(FCDi−1/mΣ(FCDi-ｊ)) × K  
j=0           
を取得する。尚、図１２（ｂ）は焦点距離データのmドット移動平均を示し、同図（ｃ）は（焦点距離データi）−（焦点距離データのmドット移動平均）の計算結果の一例を示す。また、同図（ｄ）は上記例における焦点補正データ（FMDi）の一例を示す。
【００４８】
次に、上記焦点補正データ（FMDi）を使用してヘッド補正データを生成する（同図に示すII）すなわち、
ヘッド補正データ（HDi）＝焦点補正データ（FMDi）＋光量補正データ（Li）
【００４９】
次に、上記演算結果であるヘッド補正データ（HDi）は、ヘッド補正データ記憶部４５に送信され補正データの書き換え処理が行われる（ＳＴ３）。そして、新たなへッド補正データはＣＰＵＩ／Ｆ部３３の指示に従って、順次印字ヘッド１７に転送され（Ｓ４）、印字ヘッド１７に形成されたＬＥＤ素子の光量補正に使用される。
【００５０】
以上のように、本例によれば、印字ヘッド１７の各ドットのピントデータから特徴的な箇所を抽出し、光量補正値を調整することにより、ストリークスや濃度ムラの軽減を図ることができる。
（実施形態３）
【００５１】
次に、本発明の実施形態３について説明する。
本例は実施形態１の処理と実施形態２の処理を組み合わせた処理である。以下、具体的に説明する。
【００５２】
図１３は、本例の処理を説明するフローチャートである。前述の実施形態１及び２と同様、先ず印刷装置１の電源をオンすると、印字ヘッド１７のヘッド情報ＲＯＭ４７より光補正データを読み込み、光量補正データ記憶部４４に書き込む（ステップ（以下、ＳＴＰで示す）１）。
【００５３】
次に、補正データ演算部４２はＭＴＦデータ記憶部４３、及びプロセス情報レジスタ４１に記憶されたプロセス情報に基づき演算処理を行う（ＳＴＰ２）。具体的には、以下の演算処理を行う。
【００５４】
先ず、ＭＴＦデータ記憶部４３に予め記憶されたＭＴＦデータの平均値を求める（同図に示すI）。すなわち、ＭＴＦの平均値（MTFave）をＭＴＦデータ（MTFi）に基づいて計算する（但し、i = ドットNo.１〜n）。
MTFave = Σ（MTFi ）/ n
【００５５】
次に、各ドットのＭＴＦデータとＭＴＦデータ平均値（MTFave）との差にプロセス係数（Ｋ）を掛け算し、ＭＴＦ補正データ（PMDi）を生成する（同図に示すII）。
PMDi  =（MTFi−MTFave）× K  
【００５６】
次に、焦点距離データ(FCDi)の生成処理を行う（ＳＴＰ３、同図に示すIII）。この処理は、焦点距離補正レジスタに書き込まれた補正対象の焦点距離をＹとすると、
ａ．ト゛ットNo.nの焦点距離がＹ以内の場合は補正しない。すなわち、
-Y≦FCDi≧Yの場合、
焦点補正データ（FMDi）=０ 
ｂ．一方、ト゛ットNo.nの焦点距離がＹを越えた場合、下記の演算式に基づき補正値を生成する。すなわち、
-Y＞FCDiまたはY＜FCDiの場合、
ドットNo.nの焦点補正データ（FMDi）は
［焦点距離データi] − [ 焦点距離データmドット移動平均 ] × 係数
であり、焦点補正データ(FMDi)は、
j=m-1                   
FMDi=(FCDi−1/mΣ(FCDi-ｊ)) × K  
j=0           
を取得する。尚、FCDiはドットNo.nの焦点距離データであり、FMDiはドットNo.nの焦点補正データである。
【００５７】
次に、上記焦点補正データ（FMDi）を使用してヘッド補正データを生成する（ＳＴＰ４、同図に示すIV）すなわち、
ヘッド補正データ（HDi）＝焦点補正データ（FMDi）＋光量補正データ（Li）
【００５８】
次に、上記演算結果であるヘッド補正データ（HDi）は、ヘッド補正データ記憶部４５に送信され補正データの書き換え処理が行われる（ＳＴＰ５）。そして、新たなへッド補正データはＣＰＵＩ／Ｆ部３３の指示に従って、順次印字ヘッド１７に転送され（ＳＴＰ６）、印字ヘッド１７に形成されたＬＥＤ素子の光量補正に使用される。
【００５９】
以上のように、本例によれば、隣接する発光素子の発光プロファイル形状の干渉を考慮した光量補正データを使用して発光素子の光量補正を行うことができ、更に印字ヘッド１７の各ドットのピントデータから特徴的な箇所を抽出し、光量補正値を調整することにより、ストリークスや濃度ムラをより軽減することができる。
【符号の説明】
【００６０】
１・・・印刷装置
２・・・Ｉ／Ｆコントローラ
３・・・エンジン制御部
４・・・受信制御部
５・・・ＲＯＭ
６・・・フォント
７・・・表示制御部
８・・・ビデオＩ／Ｆ制御部
９・・・メモリ
１０・・ＤＭＡ制御部
１１・・ＭＰＵ
１２・・ヘッド制御部
１３・・モータ制御部
１４・・ＭＰＵ
１５・・定着制御部
１６・・高圧制御部
１７・・印字ヘッド
１８・・メインモータ
１９・・各種負荷
２０・・各種センサ
２１・・定着サーミスタ
２２・・定着ヒータ
２３・・高圧部
２４・・オペレーションパネル
２５・・ホスト機器
３０・・ヘッドＩ／Ｆ制御部
３１・・ヘッド補正データ制御部
３２・・基本タイミング生成部
３３・・ＣＰＵＩ／Ｆ部
３４・・ドットパターン生成部
３５・・ヘッドデータ送信部
３６・・ヘッド制御信号生成部
３７・・ストローブ信号生成部
４０・・補正ＲＡＭ
４１・・プロセス情報レジスタ
４２・・補正データ演算部
４３・・ＭＴＦデータ記憶部
４４・・光量補正データ記憶部
４５・・ヘッド補正データ記憶部
４７・・ヘッド情報ＲＯＭ
４９・・焦点距離データ記憶部
５１・・ヘッド駆動装置
５２・・測定装置
５３・・演算装置
５４・・制御装置
５５・・ＭＴＦデータ出力
【図１】
2011046137.tif 000003
【図２】
2011046137.tif 000004
【図３】
2011046137.tif 000005
【図５】
2011046137.tif 000006
【図８】
2011046137.tif 000007
【図９】
2011046137.tif 000008
【図１１】
2011046137.tif 000009
【図１３】
2011046137.tif 000010
【図４】
2011046137.tif 000011
【図６】
2011046137.tif 000012
【図７】
2011046137.tif 000013
【図１０】
2011046137.tif 000014
【図１２】
2011046137.tif 000015